(57)【特許請求の範囲】
【請求項１】
黒板面に所定寸法範囲内の描線を可能とする所定長寸法、形状に設定し、黒板面に安定接合可能な平面状の接合面部、および、チョークの描線を直線、波線および／または鋸刃状線などに誘導可能な描線エッジとを有する定規本体を設け、該定規本体の長さ寸法方向の中央付近か、または、何れか一方端寄りかの何れかとなる適所に、外輪内に同心状回転自在に組み込まれた内輪の内周壁中央に対し、同内輪回転軸心方向で接合面部に露出状となる先端に軟質吸着部を設けた吸着機構をなす吸着軸が、その軸心方向に突没自在に装着した吸着ベアリングを、当該接合面部に垂直な軸心回りに回転自在となるよう埋設し、該外輪のみを固着すると共に、該吸着軸の軟質吸着部を設けた先端とは反対がわの軸抑え操作部をなす突操作端を、該接合面部とは反対がわとなる定規外壁面がわから押圧操作自在とするよう露出させた上、少なくとも当該定規本体の吸着ベアリング埋設位置から離れたがわとなる適所に、チョーク係合用となる掛着部を形成し、当該定規外壁面がわ適所に該軟質吸着部を黒板面に接合可能な吸着姿勢から、同軟質吸着部を黒板面から離反状態となる離脱姿勢に姿勢変更操作可能な離脱操作部を設けてなるものとしたことを特徴とする黒板用定規。 
【発明の詳細な説明】
【技術分野】
【０００１】
この発明は、図形描出用の定規に関連するものであり、特に黒板などの板面に対して線描可能な黒板用の定規を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                          
【背景技術】
【０００２】
（着目点）
一般に教育現場で使用される黒板用の定規類は何れも、通常の大きさの三角定規を単に大型化した木製の直線定規や三角定規などであるが、それを使用する際には定規を黒板面に当てて片手で動かないよう抑えながら、もう片方の手でチョークを添えて線描するものであるが、定規を抑える力が弱いとズレ動いて描線が曲がってしまったり、また、上手に線描できても黒板面から定規を取り去るときに、掴み所がなく、うまく取り扱わないと床に落下させてしまったりする虞があり、さらに、黒板用のコンパスも、２本の脚を自由な角度に開閉できるコンパスを木製の大型のものとし、通常針の部分をゴムに、鉛筆や芯の部分をチョーク用の着脱部分としたものが一般的であるが、針代わりのゴム部分を黒板面に当てて、その心がズレないよう注意しながら、遠心がわ脚に装着したチョークを回転するよう操作して所望半径の円や円弧を描画しているが、描線操作中にコンパスが傾いてしまったり、針代わりのゴム部分がずれて一周した円弧端部同士が一致しないなど、綺麗な円を描くのが非常に難しいという致命的な欠点があった。
【０００３】
（従来の技術）
こうした状況を憂慮し、例えば、下記の特許文献１（１）に提案されているものに代表されるように、定規の裏面に磁石テープを一体化して黒板に吸着、仮固定可能としたものや、同特許文献１（２）に見られるような、線状生地製のライン部両端に磁石などの固定部を設け、吸着させるだけで黒板にチョークを用いずに描線可能としたもの、また、特許文献１（３）のように、２本脚型コンパスの中心針に相当する部分に吸盤からなる軟質の吸着部を設けたもの、あるいは、例えば、特許文献１（４）に示されたもののように、磁石を埋設した全円形分度器の周囲に、定規板の一端がわを回転自在に一体化し、同定規板の全円形分度器がわから遠心がわに沿って、複数個のチョーク挿入孔を穿設し、該全円形分度器を黒板に吸着、仮固定して所望の半径に対応するチョーク挿入孔にチョークを合わせて、円を描くことができるようにしてなるものなどが散見される。
【０００４】
しかし、前者特許文献１（１）に示されているような直線定規の裏面に磁石テープを一体化してなるものなどは、黒板から引き剥がすのが困難であり、磁石テープの厚み寸法分黒板面から浮く状態に吸着可能なものとした場合には、浮いた隙間でチョークの描線がズレてしまったり、また、浮いた隙間にチョークの粉が入り込んで黒板を汚してしまうという欠点があり、特許文献１（２）のもののように、予め一定の寸法に製造してあるライン部は、チョークを使わずに描線できるという利点があるものの、線の長さを調節できない上、両端の固定部がズレ落ちる虞があり、また、特許文献１（３）に代表する２脚型のコンパスの場合には、その逆Ｖ字状の脚部が黒板面に対して倒れ易く、円を描いている途中でチョークの黒板面への接触角度が容易に変化してしまったり、開脚や閉脚を生じたりして均質な描円が困難であるという欠点があり、更にまた、後者特許文献１（４）に開示する直線定規型のコンパスなどは、直線定規部分を利用して直線を引く場合に、中心の全円分度器部分が段差を形成してしまい、チョークによる描線にズレを生じ易く、また、該全円分度器部分の磁石が、確りと黒板面に吸着状となってしまうと、今度は、掴み所が無いために取り外し難いという欠点があった。                                                                                                                        
【特許文献１】（１）実開平６−３９４９２号公報    （２）特開平１１−１４３３４４号公報    （３）特開平１１−７８３７３号公報    （４）実用新案登録第３１３４２０９号公報
【発明の開示】
【発明が解決しようとする課題】
【０００５】
（問題意識）
上述したとおり、従前までに提案のある黒板用の各種定規やコンパスなどは、何れもチョークによる描線にズレを生じ易かったり、描線中に黒板が汚れてしまったり、磁石などの吸着部分を黒板面から取り外し難いという問題がある所為からか、それら既に提案済みのものは、結局、未だに普及することなく経過してしまっており、それら提案済のもののない時代から使用されてきている各種定規やコンパスなどに頼った、不安定で使いこなしに工夫が要求される描線作業で授業を続ける現場に身を置くものとしては、それら提案済のものの解決し得ていない課題を是非何とか解消し、教育現場のこの種作業を伴う授業内容の充実を図るべきものと考える。
【０００６】
（発明の目的）
そこで、この発明は、黒板面に対するチョークによる描線にズレを生じることがない上、チョーク粉で黒板面を汚さず、しかも描線端にズレの無い円を簡単に描画でき、しかも線描後に黒板面から円滑に取り外すことができる新たな黒板用の定規技術の開発はできないものかとの判断から、逸速くその開発、研究に着手し、長期に渡る試行錯誤と幾多の試作、実験とを繰り返してきた結果、今回、遂に新規な構造の黒板用定規を実現化することに成功したものであり、以下では、図面に示すこの発明を代表する実施例と共に、その構成を詳述することとする。                                                                                                
【課題を解決するための手段】
【０００７】
（発明の構成）
図面に示すこの発明を代表する実施例からも明確に理解されるように、この発明の黒板用定規は、基本的に次のような構成から成り立っている。
即ち、黒板面に所定寸法範囲内の描線を可能とする所定長寸法、形状に設定し、黒板面に安定接合可能な平面状の接合面部、および、チョークの描線を直線、波線および／または鋸刃状線などに誘導可能な描線エッジとを有する定規本体を設け、該定規本体の長さ寸法方向の中央付近か、または、何れか一方端寄りかの何れかとなる適所に、外輪内に同心状回転自在に組み込まれた内輪の内周壁中央に対し、同内輪回転軸心方向で接合面部に露出状となる先端に軟質吸着部を設けた吸着機構をなす吸着軸が、その軸心方向に突没自在に装着した吸着ベアリングを、当該接合面部に垂直な軸心回りに回転自在となるよう埋設し、該外輪のみを固着すると共に、該吸着軸の軟質吸着部を設けた先端とは反対がわの軸抑え操作部をなす突操作端を、該接合面部とは反対がわとなる定規外壁面がわから押圧操作自在とするよう露出させた上、少なくとも当該定規本体の吸着ベアリング埋設位置から離れたがわとなる適所に、チョーク係合用となる掛着部を形成し、当該定規外壁面がわ適所に該軟質吸着部を黒板面に接合可能な吸着姿勢から、同軟質吸着部を黒板面から離反状態となる離脱姿勢に姿勢変更操作可能な離脱操作部を設けてなるものとした構成を要旨とする黒板用定規である。                                                                
【発明の効果】
【０００８】
以上のとおり、この発明の黒板用定規によれば、従前までのものとは違い、上記したとおりの固有の特徴ある構成から、その接合面部を黒板面に接すると、吸着機構の軟質吸着部が吸着し、その描線エッジを確りと仮固定するものとなり、黒板面に対するチョークによる描線にズレを生じることがない上、チョーク粉で黒板面を汚さで済み、そして黒板面から取り外すときにも、離脱操作部を操作して該軟質吸着部を黒板面から離反状態となる離脱姿勢に姿勢変更して簡単且つ迅速に離脱することができるから、誰でも整然と円滑に描線、描画することができ、しかも、軟質吸着部が黒板面を保護して黒板面の傷付きを防止すると共に、吸着時の接触音を低減して静粛に利用できるという秀でた特徴が得られるものである。
【０００９】
加えて、定規本体の接合面部適所に、内輪に吸着機構をなす吸着軸を突没自在に装着した吸着ベアリングを組み込み、同定規本体の吸着ベアリング埋設位置から離れたがわとなる適所に掛着部を形成したものは、黒板面に吸着仮固定した該吸着軸を中心に、掛着部に係合したチョークで簡単に継ぎ目の無い円を描くことができる上、該吸着軸の軸抑え操作部を定規外壁面がわから押圧操作して中心ズレを阻止できるから、従来の２脚型のコンパスのような倒れや、開・閉脚などに起因する描線のズレ、継ぎ目などの発生を一段と確実に防止できる利点がある。
【００１０】
また、直定規本体の断面形状を直角三角形とし、同断面形直角三角形の斜辺面の一隣辺面を黒板面との接合面部とし、該一隣辺面と接合面部とが交わる鋭角を描線エッジとしたものは、該接合面部適所に設けた吸着機構を、同吸着機構が吸着している黒板面から取り外す際に、定規外壁面がわとなる斜辺面と、接合面部から垂直に立ち上がる他隣辺面とからなる離脱操作部に手指を掛けて横転状に操作するようにして簡便に取り外すことができる上、その断面形直角三角形の立体形状が、垂直な黒板面への抑え付けや握持などの取扱い性を高め、誤って直定規本体自体を床に落下させてしまうのを、より確実に防止できる効果を奏することとなる。
【００１１】
吸着ベアリングは、吸着軸回りに定規本体を円滑に回転させることが可能で、より精度良く真円を描画可能である上、内輪に対して吸着軸を突没自在に装着してあるから、回転する定規本体の接合面部が黒板面との間に僅かな隙間を形成し、擦れによる傷付きを確実に防止できるものとなり、さらに、軸抑え操作部をなす突操作端に握持部を突出状に一体化してなるものは、中心のズレ動きをさらに減少して格段に描き損じのない円描画を実現可能とする効果が得られる。
【００１２】
三角定規本体のハンドル棒に吸着機構をなす一対の可倒片を組み込んでなるものは、各可倒片を座状吸着姿勢として各軟質吸着部を黒板面に吸着し、一段と大きな吸着面積を確保して大型の定規であっても安定に仮固定可能なものとすることができる上、各可倒片を倒状離脱姿勢にして各軟質吸着部を黒板面から離脱させて簡便に仮固定を解除し、取り外すことができるから、大型の定規本体を抑えるのに要する力を格段に軽減し、教員などの利用者への負担を大幅に削減できるという秀でた効果を奏するものとなる。                                                  
【発明を実施するための最良の形態】
【００１３】
上記したとおりの構成からなるこの発明の実施に際し、その最良もしくは望ましい形態について説明を加えることにする。
定規本体は、黒板面に安定的に接合可能で、その接合状態に保持したまま、連続線状の周縁エッジ部分に沿ってチョークを誘導し、所定形状の描線を可能とする骨格体として機能するものであり、黒板面に安定に接合可能な平滑面状の接合面部を形成したものとなし、且つチョークの描線を直線、波線および／または鋸刃状線などに誘導可能な描線エッジを形成してなるものとしなければならず、その全体形状を各種直線定規形や各種三角定規形、各種分度器形など様々な形状のものとすることができ、後述する実施例に示すように、コンパス機能を組み込んだものとすることが可能である。
【００１４】
接合面部は、定規本体と共にその描線エッジを黒板面に対し、容易にズレ動かないよう安定的に接合可能とする機能を担うものであり、黒板面に密着状に接合できるよう平滑面状に形成したものとすべきであるが、複数本の描線エッジが互いに1つの接合面部を形成するものとすることができる外、描線エッジから離れた適所に、黒板面に当接する１点または複数点の接合用突部を形成し、それら接合用突部と描線エッジとから当該接合面部を形成するようにしたものなどとすることが可能であり、何れの場合にも黒板面と同等とするか、僅かに軟質な素材製として接合の際に黒板面を保護可能なものとするのが望ましい。
【００１５】
描線エッジは、定規本体を黒板面に接合させたときに、チョークの描線を所定の形状に誘導可能とする機能を果たすものであり、１個の定規本体の接合面部周囲に１本または複数本形成することが可能であって、さらに、定規本体の中央に適宜形状の貫通孔を形成し、その貫通孔の内周縁にも、該描線エッジを形成可能であり、接合面部周縁に対して鋭角に交叉する断面形状に形成したものとしなければならず、必要に応じて、チョークとの摩擦を軽減可能な合成樹脂製などのエッジ部品を添設してなるものとすることができる。
【００１６】
定規外壁面は、定規本体の接合面部とは反対がわとなる壁面部分であって、描線エッジに一体化して背後から支持し、接合面部を黒板面に接合させたときに、定規本体を脱落しないよう抑え付け、または把持可能とするよう機能するものであり、必要に応じてハンドル棒やハンドル用突部などのハンドル部分を設けたり、定規本体を吸着姿勢から離脱姿勢に横転操作可能な突起形状部分を有するものとしたり、定規本体中央付近に接合面部から定規外壁面がわに貫通する空気孔を穿設したものとしたりすることができる。
【００１７】
吸着機構は、定規本体をその接合面部が黒板面に接合した姿勢で、該黒板面に吸着状且つ着脱可能に仮固定させる機能を果たすものであり、その吸着部分は、黒板面よりも軟質で黒板面を傷付けないよう着脱可能なものとしなければならず、後述する実施例に示すように、先端に軟質吸着部を設けた吸着軸を定規本体の接合面部に対して突没操作自在に埋設してなるものとすることができる外、底面に軟質吸着部を設けた可倒片を定規本体の適所に配し、該可倒片を黒板面に接合して吸着可能であり、また、横転させて離脱可能としたものなどとすることができる。
【００１８】
吸着機構の吸着軸は、接合面部を黒板面に吸着状に仮固定する機能を分担するものであり、接合面部に対して略垂直に突没自在なものとすることができ、その先端に軟質吸着部を設け、接合面部と面一となって黒板面に吸着するものとしなければならず、後述する実施例にも示してあるように、定規本体接合面部適所に埋設した吸着ベアリングの内輪に同心状且つ突没自在に組込み、その先端の軟質吸着部を黒板面に吸着した場合に、接合面部から僅かに突出させて、接合面部が黒板面を擦らないよう浮かせて、同先端を中心として定規本体を円滑に回転可能なものとすることが可能であって、該軟質吸着部は、軟質ゴムに磁石粉を混合して成型したゴム磁石、軟質合成樹脂に磁石粉を混合して成型した合成樹脂磁石、樹脂コート磁石などの、少なくとも表面を軟質とした磁石類の何れかとするのが望ましいが、軟質合成樹脂製の吸盤や、同様の吸盤に注射器型やレバー式などの吸引機構を組み合わせたものなどとすることができる。
【００１９】
吸着軸の軸抑え操作部は、吸着機構である吸着軸をその軸心方向に進退自在に組み込んだ吸着ベアリングを設けてなる当該黒板用定規が、コンパスとして利用される場合に、該吸着ベアリングに組み込まれた吸着軸先端の軟質吸着部を黒板面に向けて押圧可能とするよう機能するものであり、該吸着軸先端とは反対がわの突操作端を当該黒板用定規の定規外壁面がわに、抑え込み操作可能に露出したものとすべきであって、手指で抑え易い凹面形状や軟質パッドなどを装着したものとするのが望ましく、後述する実施例に示すように、グリップやハンドル状をなすような握持部を突設してなるものなどとすることができる。
【００２０】
吸着機構の離脱操作部は、定規本体の定規外壁面がわから、同接合面部がわの軟質吸着部を吸着姿勢と離脱姿勢との夫々に変更するよう操作可能とするよう機能し、後述する実施例に示すように、断面形直角三角形の直定規本体の斜辺面に隣接する一隣辺面である接合面部に吸着機構軟質吸着部を露出するよう設けたものの場合には、その定規外壁面がわとなる斜辺面と、接合面部から垂直に立ち上がる他隣辺面とが、該軟質吸着部を黒板面に接合可能な吸着姿勢から、同軟質吸着部を黒板面から離反状態となる離脱姿勢に姿勢変更操作可能な離脱操作部を形成してなるものとすることができ、該吸着機構が、接合面部に面するがわに軟質吸着部を設けた可倒片を１個以上有するものの場合には、各可倒片の軟質吸着部を設けたのとは反対がわの定規外壁面がわとなる部分に、倒状離脱姿勢に操作可能な突出形状部分を形成し、該突出部分を吸着離脱操作部としてなるものとすることができる。
【００２１】
吸着ベアリングは、定規本体を黒板面に対して吸着仮固定可能とすると共に、定規本体を黒板面に対して回転自在に軸着状とする機能を果たすものであり、定規本体の接合面部に対して吸着機構の軟質吸着部を回転自在に装着可能とし、定規本体をコンパスとして利用可能にするものであって、定規本体に固定したベアリング固定輪と、同固定輪に対して回転自在に装着し、当該接合面部に露出する吸着機構の軟質吸着部を設けたベアリング回転輪とからなるものとしなければならず、定規本体接合面部適所に埋設状に設けたものとすべきであり、後述する実施例において示すように、ラジアルベアリング内輪に対して吸着機構吸着軸を、その軸心方向に突没自在に装着したものとするのが望ましく、使用するベアリングは、各種滑り軸受、各種ラジアルベアリングまたは各種スラストベアリングなどの各種ころがり軸受の何れかとすることが可能であり、より具体的には、例えば深溝玉軸受、アンギュウラ玉軸受、自動調心玉軸受、円筒ころ軸受、針状ころ軸受、円錐ころ軸受、自動調心ころ軸受、スラスト玉軸受、または、スラスト自動調心ころ軸受とすることができ、それら何れかの内輪に吸着軸を進退自在且つ脱落不能に組み込んだものとすることができる。
【００２２】
掛着部は、定規本体適所にチョークを描線可能に係合することにより、当該吸着ベアリングと相俟ってコンパスとしての利用を可能にする機能を担い、チョーク外周に緩やかに嵌合可能なものとしなければならず、後述する実施例に示すように、直定規本体の吸着ベアリング埋設位置から定規描線方向に離れたがわとなる他方端木口などの適所に環状または鈎状のものとして装着してなるものとすべきであるが、直定規本体の適所に、接合面部に対して垂直姿勢で、チョーク外径より僅かに大きな内径に貫通した穿設孔からなるものとすることが可能である。
【００２３】
当該吸着機構の可倒片は、１個だけ設けたものの外、後述する実施例に示すように、定規本体適所に開口した空気孔に、その径方向に跨ぐようハンドル棒を差渡し結合すると共に、該ハンドル棒の中途適所であって該空気孔内に対応する両がわ縁夫々に、一対をなす可倒片を配して当該接合面部とは反対がわとなる定規外壁面がわの適所にヒンジ機構を介して連結し、それら一対の可倒片に、座状吸着姿勢で黒板面に吸着可能となる軟質吸着部を設けた上、各軟質吸着部が当該接合面部に面一状配置となって黒板面に接合可能な座状吸着姿勢と、各軟質吸着部が当該接合面部に面一状となった場合の黒板面から離反状態となる倒状離脱姿勢との何れか一方で、且つ交互に変形するよう操作可能な吸着離脱操作部を、該定規外壁面がわに突出形成してなるものとすることができる。
以下では、図面に示すこの発明を代表する実施例と共に、その構造について詳述することとする。                                                                                                            
【実施例１】
【００２４】
図１の（図２中矢印Ａ視）黒板用定規の正面図、図２の黒板用定規の側面図、図３の黒板用定規吸着機構部分の断面図、図４の（図２中矢印Ｂ視）黒板用定規の平面図、図５の（図２中矢印Ｃ視）定規外壁面（斜辺面）の正面図、図６の（図２中矢印Ｄ視）黒板用定規の底面図、図７の描線に用いた黒板用定規の正面図、図８のコンパスとして使用する黒板用定規の正面図、図９のコンパスとして使用する黒板用定規の平面図、および、図１０の吸着姿勢から離脱姿勢に変化する黒板用定規の側面図に示す事例は、黒板面６に安定接合可能な接合面部１０、および、チョーク５による描線を誘導可能な描線エッジ１１とを有する定規本体１を設け、該定規本体１の接合面部１０適所に、黒板面６に吸着可能な軟質吸着部２０を有する吸着機構２を組み込み、該軟質吸着部２０を黒板面６に接合可能な吸着姿勢から、同軟質吸着部２０を黒板面６から離反状態となる離脱姿勢に姿勢変更操作可能な離脱操作部２５を設けてなるものとした、この発明の黒板用定規における代表的な一実施例を示すものである。
【００２５】
それら各図からも明確に把握できるとおり、この発明の黒板用定規は、黒板面に所定寸法範囲内の描線を可能とする所定長寸法（例えば３０ないし５０ｃｍ）のもので、描線方向に直交する断面形状を直角三角形とした木製の直定規本体１を有し、該直定規本体１の当該断面形直角三角形の斜辺面１２（例えば巾４３ｍｍ）と、これに隣接する一隣辺面１０（例えば巾３２ｍｍ）であって黒板面６に安定接合可能な接合面部１０とが交わる鋭角（例えば４０°）縁部分を、チョーク５描線を直線状に誘導可能な直線状描線エッジ１１とし、当該接合面部１０の少なくとも描線方向端間中央で、且つ、同接合面部１０の巾寸法中央に、金属製の外輪３０内に複数個の鋼球を挟み、同心状回転自在に組み込まれた金属製内輪３１の円筒状内周壁中央に対し、同内輪３１回転軸心方向で当該接合面部１０に露出状となる先端に合成樹脂に磁石粉末を混合するようにし、シート状に成型した軟質吸着部２０を設けた吸着機構２をなす金属製の吸着軸２が、その軸心方向に突没自在に装着した吸着ベアリング３を、当該接合面部１０に垂直な軸心回りに回転自在となるよう埋設して外輪３０だけを固着すると共に、当該吸着軸２の軟質吸着部２０を設けた先端とは反対がわの軸抑え操作部２１をなす突操作端を当該接合面部１０に隣接する斜辺面１２がわに押圧操作自在とするよう露出させた上、少なくとも当該直定規本体１の吸着ベアリング３埋設位置から描線方向に離れたがわとなる他方端木口１４に、鈎状でチョーク５係合用掛着部４となる鈎金具４を突設し、当該定規外壁面がわ１２である斜辺面１２と、接合面部１０から垂直に立ち上がる他隣辺面１３とが、その軟質吸着部２０を接合面部１０諸共黒板面６に接合可能な吸着姿勢から、同軟質吸着部２０を接合面部１０諸共、黒板面６から離反状態となる離脱姿勢に横転状とする姿勢変更操作可能な離脱操作部２５を形成してなるものである。
【００２６】
当該直定規本体１は、斜辺面１２の吸着ベアリング３寄りとなる適所に、突条形のハンドル部１５を設け、さらに、必要に応じて該吸着ベアリング３の吸着軸２突操作端であり、その斜辺面１２がわに露出する軸抑え操作部２１を、ドアノブ状に突出した握持部２２としてなるものとすることができる。                                                                                          
【実施例２】
【００２７】
図１１の黒板用三角定規の平面図、図１２の座状吸着姿勢にある一対の可倒片２３，２３の断面図、および、図１３の倒状離脱姿勢にある一対の可倒片２３，２３の断面図に示す事例は、定規本体１を三角定規としたものであり、所定長寸法の直角三角形平板状に設定し、黒板面６に安定接合可能とする外周縁（３辺）の平滑面状接合面部１０，１０，１０、および、チョーク５による描線を直線に誘導可能な３辺の描線エッジ１１，１１，１１とを有する木製の三角定規本体１を設け、該三角定規本体１の外周縁（３辺）の接合面部１０，１０，１０に囲まれた重心近傍となる中央適所に、黒板面６との密着防止用の適宜面積の空気孔１５を開口し、同空気孔１５に径方向に跨ぐよう木製のハンドル棒１６を差渡し結合すると共に、該ハンドル棒１６の中途適所であって該空気孔１４内に対応する両がわ縁夫々に、一対をなす可倒片２３，２３を配して当該接合面部１０，１０，１０とは反対がわとなる定規外壁面１２がわの適所にヒンジ機構２４，２４を介して連結し、それら一対の可倒片２３，２３に、座状吸着姿勢で黒板面に吸着可能となる、軟質合成樹脂に磁石粉末を混合し、シート状に成型した軟質吸着部２０，２０を設けた上、各軟質吸着部２０，２０が当該接合面部１０，１０，１０に面一状配置となって黒板面に接合可能な座状吸着姿勢と、各軟質吸着部２０，２０が当該接合面部１０，１０，１０に面一状となった場合の黒板面から離反状態となる倒状離脱姿勢との何れか一方且つ交互に変形するよう操作可能な吸着離脱操作部２５，２５を該定規外壁面１２がわに突出形成した吸着機構２を組み込んでなるものとしてある。
【００２８】
図１１に示すように、当該黒板用定規の定規本体１の中央付近となる、例えばハンドル棒１６であって、接合面部１０，１０，１０に面一となる壁面には、先端に軟質合成樹脂に磁石粉末を混合し、シート状に成型した軟質吸着部２０を設けた吸着機構２である吸着軸２を突没自在に組み込んだ吸着ベアリング３を埋設し、該吸着軸２の先端とは反対がわの軸抑え操作部２１をハンドル棒１６定規外壁面１２がわに露出した上、該吸着機構２から離れた角部付近には、接合面部１０，１０，１０に垂直で、定規外壁面１２に貫通する、チョーク５係合用掛着部４となる掛着孔４を穿設し、コンパスとしての利用を可能としたものとすることができ、コンパスとして利用する際に、当該一対の可倒片２３，２３同士を倒状離脱姿勢に定可能とする図示しない仮固定機構を設けたものとすることができる。
【００２９】
（実施例１の作用・効果）
以上のとおりの構成からなるこの発明の黒板用定規によれば、図１ないし図７に示すように、定規本体１接合面部１０を磁性金属（例えば鉄鋼や磁性ステンレス鋼）板製の黒板面６に接合すると、吸着機構２吸着軸２先端の軟質吸着部２０がもつ磁力によって吸着し、手を放しても脱落することはなく、利用者が一方の手で定規本体１のハンドル部１６など適所を抑えて、図３および図７に示すように、チョーク５を描線エッジ１１に沿って、その一方端がわから他方端がわへ滑らせるようにして黒板面６に直線を描くことができる。
【００３０】
図２、図３、図８および図９に示すように、円を描画する場合には、定規本体１接合面部１０の吸着機構２吸着軸２先端の軟質吸着部２０を黒板面６の、これから描画しようとする円の中心付近に吸着するよう配置し、それら各図中に斜線矢印Ｐで示すように、一方の手指で抑えた上、他方の手に持ったチョーク５を鈎金具４に通して、図９の実線矢印に示すように、円弧状の線を引くよう操作してコンパスとしての利用を可能とするものであり、図３中に破線で示すように、軸抑え操作部２１を大きく突出させてなる握持部２２を設けたもは、このように回転操作する場合に、より確実に中心を固定し易くなる。
【００３１】
そして、図１０の実線矢印に示すように、描線を終えて黒板面６から当該黒板用定規定規本体１を取り外す場合には、定規外壁面（斜辺面）１２の一隣辺面である接合面部１０とは別の、他隣辺面１３を黒板面６に接する方向に、該定規外壁面（斜辺面）１２の適所、例えばハンドル部１６などの離脱操作部２５押して横転させ、吸着機構２による黒板面６への吸着を解除することで簡単且つ迅速に取り外すことができる。
【００３２】
（実施例２の作用・効果）
図１１および図１２に示すように、黒板用定規三角定規本体１を黒板面６に仮固定する場合には、一対の可倒片２３，２３を座状吸着姿勢として、接合面部１０，１０，１０が黒板面６に密着すると共に、各軟質吸着部２０，２０が、その磁力によって黒板面６に吸着するようにして仮固定し、何れかの描線エッジ１１を利用したチョーク５による描線を可能とするものとなり、描線を終えた後に黒板面６から取り外す場合には、図１３中の実線矢印に示すように、各可倒片２３，２３の吸着離脱操作部２５，２５を互いに引き寄せ状に把持操作して、各可倒片２３，２３を横転状に操作し、各軟質吸着部２０，２０を黒板面６から離脱させた上、同一対の可倒片２３，２３を把持したまま三角定規本体１全体を黒板面６から簡単、迅速に取り外すことができる。
【００３３】
また、図１１に示してあるように、吸着軸２を組み込んだ吸着ベアリング３および掛着孔４を利用し、当該三角定規本体１をコンパスとして利用する場合には、図１３に示すように、一対の可倒片２３，２３を黒板面６から離脱させた姿勢に把持するか、同倒状離脱姿勢に仮固定するかしてから、ハンドル棒１６の定規外壁面１２がわに露出する軸抑え操作部２１を黒板面６に向けて押圧操作し、吸着軸２の軟質吸着部２０を有する先端を突出し、黒板面６に吸着して仮固定状とした上、掛着孔４に図示しないチョークを挿し通して係合し、該軟質吸着部２０を中心に三角定規本体１が回転するようチョークを動かして円を描画することが可能であり、黒板面６から取り外す際には、前述と同様に一対の可倒片２３，２３を把持して取り外すことになる。
【００３４】
（結  び）
叙述の如く、この発明の黒板用定規は、その新規な構成によって所期の目的を遍く達成可能とするものであり、しかも製造も容易で、従前からの黒板用の各種定規技術に比較して大幅に黒板面への仮固定および離脱操作が簡単且つ迅速に行えるようになり、しかも従前まで黒板専用の２脚型コンパスを使わなければならなかった円や円弧の描線も、正確且つ速やかに描くことが可能となり、必要な定規類の数を削減して遥かに経済的なものとすることができる上、黒板への描き込み作業性を大幅に改善し得るものとなることから、限られた授業時間中に円滑で迅速な描線作業を行い、出来る限り正確且つ見易く、子供達にも理解し易い図形などを描きたいと心掛ける教員はもとより、各種教育機関およびその教員に教材を提供する文房具業界においても高く評価され、広範に渡って利用、普及していくものになると予想される。                                                                                                
【図面の簡単な説明】
【００３５】
図面は、この発明の黒板用定規の技術的思想を具現化した代表的な幾つかの実施例を示すものである。
【図１】図２中の矢印Ａから見た黒板用定規を示す正面図である。
【図２】黒板用定規を示す側面図である。
【図３】黒板用定規の吸着機構を示す断面図である。
【図４】図２中の矢印Ｂから見た黒板用定規を示す平面図である。
【図５】図２中の矢印Ｃから見た定規外壁面を示す平面図である。
【図６】図２中の矢印Ｄから見た接合面部を示す底面図である。
【図７】チョークを誘導する描線エッジを示す正面図である。
【図８】コンパス利用する黒板用定規を示す正面図である。
【図９】コンパス利用する黒板用定規を示す平面図である。
【図１０】離脱姿勢へと姿勢変化する黒板用定規を示す側面図である。
【図１１】この発明の黒板用三角定規を示す平面図である。
【図１２】座状吸着姿勢にある図１１中Ｅ−Ｅ部分を示す断面図である。
【図１３】倒状離脱姿勢にある図１１中Ｅ−Ｅ部分を示す断面図である。
【符号の説明】
【００３６】
１      定規本体（三角定規本体）
１０    同  接合面部（一隣辺面）
１１    同  描線エッジ（外周縁３辺）
１２    同  定規外壁面（斜辺面）
１３    同  他隣辺面
１４    同  他方端木口
１５    同  空気孔
１６    同  ハンドル棒（ハンドル部）
２      吸着機構（吸着軸）
２０    同  軟質吸着部
２１    同  軸抑え操作部（突操作端）
２２    同  握持部
２３    同  可倒片
２４    同  ヒンジ機構
２５    同  離脱操作部（吸着離脱操作部）
３      吸着ベアリング
３０    同  外輪
３１    同  内輪
４      掛着部（鈎金具、掛着孔）
５      チョーク
６      黒板面
Ｐ      抑え力の向き（斜線矢印）          
【図１】
0005589181.tif 000002
【図２】
0005589181.tif 000003
【図３】
0005589181.tif 000004
【図４】
0005589181.tif 000005
【図５】
0005589181.tif 000006
【図６】
0005589181.tif 000007
【図７】
0005589181.tif 000008
【図８】
0005589181.tif 000009
【図９】
0005589181.tif 000010
【図１０】
0005589181.tif 000011
【図１１】
0005589181.tif 000012
【図１２】
0005589181.tif 000013
【図１３】
0005589181.tif 000014